(57)【要約】【課題】建築物の略北側の室内に太陽光を照射して、その室内を照明することができる光照射装置であって、光照射装置を設置するうえでの制約を低減することができ、かつ小型化を図ることができる光照射装置を提供する。【解決手段】光照射装置１は、２階建ての住宅１０に設けられている。この光照射装置１は、筐体５と、筐体５に設けられ、東側および西側から太陽光を採光し得る採光部６、採光部６を介して採光された太陽光を１階の室３４内に照射（放光）する放光部８および太陽光を採光部６から放光部８へ導光し、複数の反射板で構成された導光手段７とを備えている。採光部６は、住宅１０の北側であって、その２階の天井２７２よりも鉛直方向下側に位置している。【選択図】図１
2007095481.tif 000002
【特許請求の範囲】
【請求項１】
ａ（但し、２≦ａ）階建ての建築物の略北側であって、そのｂ＋１（但し、１≦ｂ≦ａ−１）階の天井よりも鉛直方向下側に設けられ、略東側および／または略西側から太陽光を採光し得る採光部と、
前記建築物のｂ階の所定の室に設けられ、前記採光部を介して採光された太陽光を前記室内に放光する放光部と、
複数の反射面を有し、太陽光を前記採光部から前記放光部へ導光する導光手段とを備えることを特徴とする光照射装置。
【請求項２】
前記ｂ階は、ａ−１階である請求項１に記載の光照射装置。
【請求項３】
ａ（但し、２≦ａ）階建ての建築物の略北側であって、そのｂ＋１（但し、１≦ｂ≦ａ−１）階の天井よりも鉛直方向下側に設けられ、略東側および／または略西側から太陽光を採光し得る採光部と、
前記建築物のｂ＋１階の所定の室の床に設けられ、前記採光部を介して採光された太陽光を前記室内に放光する放光部と、
複数の反射面を有し、太陽光を前記採光部から前記放光部へ導光する導光手段とを備えることを特徴とする光照射装置。
【請求項４】
前記採光部は、前記ｂ＋１階の床の近傍に位置している請求項１ないし３のいずれかに記載の光照射装置。
【請求項５】
筐体を有し、
前記導光手段は、前記筐体の略西側の内面に設けられた第１の反射面と、
前記筐体の略東側の内面に設けられた第２の反射面と、
前記筐体の鉛直方向下側の内面に設けられた第３の反射面とを有する請求項１ないし４のいずれかに記載の光照射装置。
【請求項６】
前記導光手段は、前記採光部において略東側から採光された太陽光が、前記第１の反射面で前記第３の反射面に向って反射し、その反射光が、前記第３の反射面で前記建築物の内側に向って反射し、
前記採光部において略西側から採光された太陽光が、前記第２の反射面で前記第３の反射面に向って反射し、その反射光が、前記第３の反射面で前記建築物の内側に向って反射するように構成されている請求項５に記載の光照射装置。
【請求項７】
前記第３の反射面は、前記第１の反射面と前記第２の反射面との間に、略東西方向に沿って設けられている請求項５または６に記載の光照射装置。
【請求項８】
前記筐体は、その略北側に遮光性を有する壁部を有する請求項５ないし７のいずれかに記載の光照射装置。
【請求項９】
前記採光部は、前記筐体の鉛直方向上側に設けられている請求項５ないし８のいずれかに記載の光照射装置。
【請求項１０】
前記採光部は、略東西方向の中央部から、略東側が低くなるように略東側に向って傾斜する光透過性を有する第１の板状部と、前記中央部から、略西側が低くなるように略西側に向って傾斜する第２の板状部とを備え、
前記第１の板状部を介して略東側から太陽光を採光し、前記第２の板状部を介して略西側から太陽光を採光するよう構成されている請求項９に記載の光照射装置。
【請求項１１】
前記第１の板状部と前記第２の板状部とのなす角は、９０°より大きく設定されている請求項１０に記載の光照射装置。
【請求項１２】
前記筐体のうちの前記第１の反射面、前記第２の反射面および前記第３の反射面が収納されている部分は、前記建築物の略北側の外壁部の外面に設けられている請求項５ないし１１のいずれかに記載の光照射装置。
【請求項１３】
人工光源を有し、該人工光源を駆動し、補助的に、前記放光部から前記室内に前記人工光源から発せられた人工光を照射する人工光照射手段を備える請求項１ないし１２のいずれかに記載の光照射装置。
【請求項１４】
前記人工光源は、発光ダイオードである請求項１３に記載の光照射装置。
【発明の詳細な説明】
【技術分野】
【０００１】
本発明は、建築物の室内に光を照射する光照射装置に関する。
【背景技術】
【０００２】
従来、建築物、例えば住宅内に太陽光を採り入れて室内にその太陽光を照射する光照射装置が知られている。
【０００３】
このような光照射装置は、太陽光を採光する採光部と、採光部を介して採光された光を導光する光ダクトと、光ダクトによって導光された光を室内に放光（照射）する放光部とで構成されている（例えば、特許文献１、２参照）。また、太陽光をより多く採り入れるために（南側から太陽光を採光するために）、採光部は、南側に面するように、南側の壁部や南側の屋根等に設置されたり、また、煙突のように屋根の上方に突出するように設置される。
【０００４】
ところで、例えば、２階建ての住宅の場合、北側の室内、特に、１階の北側の室内は、日中でも暗いので、前記光照射装置により、その室内に太陽光を照射し、室内を明るくしたいという要望がある。
【０００５】
しかしながら、前記従来の光照射装置では、２階建ての住宅の北側の室内、特に、１階の北側の室内に太陽光を照射する場合、南側の壁部、南側の屋根、屋根の上方等に設けられた採光部から１階の北側に設けられた放光部まで光ダクトを配設しなければならず、このため、光ダクトを配設するうえでの制約が非常に多い。また、光ダクトの全体形状が複雑化したり、また、光ダクトの長さが長くなり、装置全体が大型化してしまうという欠点がある。また、光ダクトの長さが長いと、放光部で採光された光が光ダクト内で多数回反射して放光部に到達するので、その反射により光が減光してしまう。
【０００６】
【特許文献１】特開２００２−２７００１４号公報
【特許文献２】特開２００４−３９３１８号公報
【発明の開示】
【発明が解決しようとする課題】
【０００７】
本発明の目的は、建築物の略北側の室内に太陽光を照射して、その室内を照明することができる光照射装置であって、光照射装置を設置するうえでの制約を低減することができ、かつ小型化を図ることができる光照射装置を提供することにある。
【課題を解決するための手段】
【０００８】
このような目的は、下記（１）〜（１４）の本発明により達成される。
（１）  ａ（但し、２≦ａ）階建ての建築物の略北側であって、そのｂ＋１（但し、１≦ｂ≦ａ−１）階の天井よりも鉛直方向下側に設けられ、略東側および／または略西側から太陽光を採光し得る採光部と、
前記建築物のｂ階の所定の室に設けられ、前記採光部を介して採光された太陽光を前記室内に放光する放光部と、
複数の反射面を有し、太陽光を前記採光部から前記放光部へ導光する導光手段とを備えることを特徴とする光照射装置。
【０００９】
（２）  前記ｂ階は、ａ−１階である上記（１）に記載の光照射装置。
（３）  ａ（但し、２≦ａ）階建ての建築物の略北側であって、そのｂ＋１（但し、１≦ｂ≦ａ−１）階の天井よりも鉛直方向下側に設けられ、略東側および／または略西側から太陽光を採光し得る採光部と、
前記建築物のｂ＋１階の所定の室の床に設けられ、前記採光部を介して採光された太陽光を前記室内に放光する放光部と、
複数の反射面を有し、太陽光を前記採光部から前記放光部へ導光する導光手段とを備えることを特徴とする光照射装置。
【００１０】
（４）  前記採光部は、前記ｂ＋１階の床の近傍に位置している上記（１）ないし（３）のいずれかに記載の光照射装置。
【００１１】
（５）  筐体を有し、
前記導光手段は、前記筐体の略西側の内面に設けられた第１の反射面と、
前記筐体の略東側の内面に設けられた第２の反射面と、
前記筐体の鉛直方向下側の内面に設けられた第３の反射面とを有する上記（１）ないし（４）のいずれかに記載の光照射装置。
【００１２】
（６）  前記導光手段は、前記採光部において略東側から採光された太陽光が、前記第１の反射面で前記第３の反射面に向って反射し、その反射光が、前記第３の反射面で前記建築物の内側に向って反射し、
前記採光部において略西側から採光された太陽光が、前記第２の反射面で前記第３の反射面に向って反射し、その反射光が、前記第３の反射面で前記建築物の内側に向って反射するように構成されている上記（５）に記載の光照射装置。
【００１３】
（７）  前記第３の反射面は、前記第１の反射面と前記第２の反射面との間に、略東西方向に沿って設けられている上記（５）または（６）に記載の光照射装置。
【００１４】
（８）  前記筐体は、その略北側に遮光性を有する壁部を有する上記（５）ないし（７）のいずれかに記載の光照射装置。
【００１５】
（９）  前記採光部は、前記筐体の鉛直方向上側に設けられている上記（５）ないし（８）のいずれかに記載の光照射装置。
【００１６】
（１０）  前記採光部は、略東西方向の中央部から、略東側が低くなるように略東側に向って傾斜する光透過性を有する第１の板状部と、前記中央部から、略西側が低くなるように略西側に向って傾斜する第２の板状部とを備え、
前記第１の板状部を介して略東側から太陽光を採光し、前記第２の板状部を介して略西側から太陽光を採光するよう構成されている上記（９）に記載の光照射装置。
【００１７】
（１１）  前記第１の板状部と前記第２の板状部とのなす角は、９０°より大きく設定されている上記（１０）に記載の光照射装置。
【００１８】
（１２）  前記筐体のうちの前記第１の反射面、前記第２の反射面および前記第３の反射面が収納されている部分は、前記建築物の略北側の外壁部の外面に設けられている上記（５）ないし（１１）のいずれかに記載の光照射装置。
【００１９】
（１３）  人工光源を有し、該人工光源を駆動し、補助的に、前記放光部から前記室内に前記人工光源から発せられた人工光を照射する人工光照射手段を備える上記（１）ないし（１２）のいずれかに記載の光照射装置。
【００２０】
（１４）  前記人工光源は、発光ダイオードである上記（１３）に記載の光照射装置。
【発明の効果】
【００２１】
本発明によれば、ａ（但し、２≦ａ）階建ての建築物の略北側のｂ（但し、１≦ｂ≦ａ−１）階の室内に太陽光（光）を照射（放光）して、その室内を照明する場合、建築物の略北側であって、そのｂ＋１階の天井よりも鉛直方向下側に、略東側および／または略西側から太陽光を採光し得る採光部を設ける。これにより、例えば、導光手段を南側の躯体内空間や小屋空間等に引き回す（配設する）必要がなくなり、光照射装置を設置するうえでの制約を低減することができる。なお、建築物の略北側のｂ＋１階の室内に太陽光を照射して、その室内を照明する場合も同様の効果が得られる。
【００２２】
また、本発明によれば、導光手段の長さを短くすることができ（導光手段をコンパクトに構成することができ）、装置全体を小型化することができる。また、導光手段の長さを短くすることができるので、採光部で採光された光が放光部に到達するまでの導光手段における光の反射回数を少なくすることができ、これにより、光の減光を抑制することができ、採光された光を効率良く室内に照射することができる。
【００２３】
また、略東側から太陽光を採光することにより、日中のうちでは室内が比較的暗い時間帯である朝において、室内を明るく照明することができる。
【００２４】
また、略西側から太陽光を採光することにより、日中のうちでは室内が比較的暗い時間帯である夕方において、室内を明るく照明することができる。
【発明を実施するための最良の形態】
【００２５】
以下、本発明の光照射装置を添付図面に示す好適実施形態に基づいて詳細に説明する。
なお、第１〜第３実施形態では、代表的に、本発明の光照射装置を２階建ての住宅に設け、その１階の北側の室内に太陽光を照射（放光）する場合、第４実施形態では、代表的に、本発明の光照射装置を２階建ての住宅に設け、その２階の北側の室内に太陽光を照射（放光）する場合の構成例について説明する。
【００２６】
図１は、本発明の光照射装置の第１実施形態が設けられた建築物としての住宅の概略構造を示す断面図、図２は、図１に示す光照射装置を示す断面図であり、図２（ａ）は、断面側面図、図２（ｂ）は、図２（ａ）中のＡ−Ａ線での断面図、図３、図４および図５は、それぞれ、図１に示す光照射装置を示す斜視図である。
なお、図１では、光照射装置については、側面図が示されている。
【００２７】
また、図３〜図５では、光照射装置は、外部からは見ることができない内部の各反射板が、あたかも見えるかのように、模式的に記載されている。そして、各反射板を他の部分と区別し易くするために、各反射板に斜線を付している。
【００２８】
また、図１〜図５において、上下方向が鉛直方向であり、東西南北の方向（方位）は、図中に矢印で示されている。
【００２９】
また、説明の都合上、図１〜図５において、上側を「上」、下側を「下」として説明する。
【００３０】
図１に示すように、住宅（建築物）１０は、２階建てであり、南側の２階の室３１、南側の１階の室３２、北側の２階の室３３、北側の１階の室３４、図示しない玄関、図示しない廊下等を画成する躯体２０を有している。躯体２０は、屋根部２１と、外壁部２２と、屋根部２１および外壁部２２の内面に積層された断熱材２３と、基台部２４と、室３１を画成する内壁部２５１、天井２５２および床２５３と、室３２を画成する内壁部２６１、天井２６２および床２６３と、室３３を画成する内壁部２７１、天井２７２および床２７３と、室３４を画成する内壁部２８１、天井２８２および床２８３とを有している。また、躯体２０の内部には、躯体内空間４０が形成されている。
【００３１】
この躯体内空間４０は、小屋空間４１、床下空間４２、ふところ空間４３、および内壁空間（内壁空洞）４４、４５、４６で構成されている。すなわち、躯体内空間４０は、小屋空間４１、床下空間４２、ふところ空間４３、および内壁空間４４、４５、４６が連通して形成される一続きの空間（連通空間）である。
【００３２】
小屋空間４１は、屋根の下方に形成される空間、すなわち、屋根部２１と、室３１の天井２５２の上部および室３３の天井２７２の上部との間に形成される空間である。
【００３３】
また、床下空間４２は、基台部２４と、室３２の床２６３の下部および室３４の床２８３の下部との間に形成される空間である。
【００３４】
また、ふところ空間４３は、隣接する上下の階の間（本実施形態では、１階と２階の間）に形成される空間、すなわち、室３１の床２５３の下部と室３２の天井２６２の上部との間、室３３の床２７３の下部と室３４の天井２８２の上部との間に形成される空間である。
【００３５】
また、内壁空間（内壁空洞）４４は、外壁部２２と、内壁部２５１、２６１との間に上下方向に沿って形成される空間、また、内壁空間４５は、内壁部２５１、２６１と、内壁部２７１、２８１との間に上下方向に沿って形成される空間、また、内壁空間４６は、外壁部２２と、内壁部２７１、２８１との間に上下方向に沿って形成される空間である。
【００３６】
この住宅１０の北側には、北側の１階の室３４内に太陽光（光）を照射（放光）して、その室３４内を照明する光照射装置１が設けられている。
【００３７】
図２および図３に示すように、光照射装置１は、ユニット化されており、筐体（ケーシング）５と、この筐体５に設けられ、太陽光を採光する採光部６、採光部６を介して採光された太陽光を室３４内に照射（放光）する放光部８および太陽光を採光部６から放光部８へ導光する導光手段７とで構成されている。
【００３８】
筐体５は、北側から見たときの外観形状が略五角形（上側が略三角形）をなし、その鉛直方向上側（以下、単に「上側」と言う）に採光部６が設けられている採光部側ケーシング５１と、北側から見たときの外観形状が略四角形をなし、その鉛直方向下側（以下、単に「下側」と言う）に放光部８が設けられている放光部側ケーシング５２とで構成されている。放光部側ケーシング５２は、採光部側ケーシング５１の下側の端部の南側に位置し、これら採光部側ケーシング５１の中空部（内部）と放光部側ケーシング５２の中空部とは、互いに連通している。なお、筐体５は、採光部側ケーシング５１と放光部側ケーシング５２とを一体的に形成したものでもよく、また、別体の採光部側ケーシング５１と放光部側ケーシング５２とを接合（固着）して形成したものでもよい。
【００３９】
また、筐体５の採光部側ケーシング５１は、住宅１０の外部に位置している。すなわち、採光部側ケーシング５１は、住宅１０の北側の外壁部２２の外面に設置されている。
【００４０】
一方、放光部側ケーシング５２は、住宅１０の内部に位置している。すなわち、放光部側ケーシング５２は、住宅１０の北側の躯体２０の、ふところ空間４３に対応する位置に形成されている孔部を挿通し、室３３の床２７３の下部と室３４の天井２８２の上部との間のふところ空間４３に挿入されている。
【００４１】
この筐体５は、断熱されているのが好ましい。すなわち、筐体５の内面には、例えば、断熱ボード（断熱板）等の断熱層（断熱材）が設けられているのが好ましい。これにより、結露を防止することができる。
【００４２】
また、採光部側ケーシング５１の上端には、開口５１１が形成されており、その上端に、採光部６が設けられている。すなわち、採光部６は、採光部側ケーシング５１の上端に、開口５１１を塞ぐように設置されている。
【００４３】
この採光部６は、北側の２階の室３３の天井２７２よりも下側、本実施形態では、室３３の床２７３の近傍（床２７３と略同じ高さ）に配置されている（位置している）。
【００４４】
前記採光部６は、光透過性を有し、中央部で屈曲した（折れ曲がった）板体（光透過部材）で構成されており、北側から見たときの外観形状が略「へ」の字状をなしている。すなわち、採光部６は、東西方向の中央部から、東側が低くなるように東側に向って傾斜する第１の板状部６１と、前記中央部から、西側が低くなるように西側に向って傾斜する第２の板状部６２とで構成されている。
【００４５】
第１の板状部６１と第２の板状部６２とのなす角θは、特に限定されないが、図示例のように、９０°より大きく設定されるのが好ましい。
【００４６】
この採光部６では、第１の板状部６１を介して東側から太陽光を採光し、第２の板状部６２を介して西側から太陽光を採光することができる。
【００４７】
なお、採光部６の構成材料としては、例えば、各種ガラスや各種樹脂等を用いることができる。
【００４８】
また、放光部側ケーシング５２の南側の端部の下端には、開口５２１が形成されており、その下端に、放光部８が設けられている。すなわち、放光部８は、放光部側ケーシング５２の南側の端部の下端に、開口５２１を塞ぐように設置されている。
【００４９】
この放光部８は、天井２８２に設置されている。すなわち、室３４の天井２８２の放光部８に対応する部分には、開口が形成されており、放光部８は、その開口から室３４内に若干突出している。また、放光部８は、北側の内壁部２８１の近傍に配置されている。
【００５０】
また、放光部８は、光透過性を有する部材（光透過部材）と、光を拡散する拡散板等の光学部品とで構成されている。
【００５１】
なお、放光部８の位置は、前記の位置に限定されない。すなわち、放光部８は、例えば、ふところ空間４３（駆体内空間４０）、内壁空間４６、北側の内壁部２８１、室３４内等に設置されていてもよい。また、放光部８は、２箇所以上の部位にまたがって、例えば、ふところ空間４３と室３４とにまたがって設置されていてもよい。
【００５２】
また、放光部８は、間接照明のように設けられていてもよい。この場合、例えば、天井２８２の端部（内壁部２８１の近傍）に凹部（段差部）を設け、その凹部内に放光部８を設置すればよい。
【００５３】
導光手段７は、複数の反射板（反射面）、本実施形態では、５つの反射板（反射面）７１〜７５で構成されており、これらの反射板７１〜７５は、それぞれ、筐体５内に設置されている。
【００５４】
この場合、反射板（第１の反射面）７１と、反射板（第２の反射面）７２と、反射板（第３の反射面）７３は、それぞれ、採光部側ケーシング５１内に設置されている。すなわち、反射板７１は、採光部側ケーシング５１の西側の内面に設置され、反射板７２は、採光部側ケーシング５１の東側の内面に設置されている。そして、反射板７３は、採光部側ケーシング５１の下側（鉛直方向下側）の内面に設置されており、この反射面７３は、反射面７１と反射面７２との間に、東西方向沿って延在している（配置されている）。
【００５５】
また、反射板７４と、反射板７５は、それぞれ、放光部側ケーシング５２内に設置されている。すなわち、反射板７４は、放光部側ケーシング５２の上側の内面に設置され、反射板７５は、放光部側ケーシング５２の下側の、放光部８と反射板７３との間の内面に設置されている。
【００５６】
なお、前述したように、筐体５のうち、反射板７１、７２および７３が収納されている採光部側ケーシング５１は、住宅１０の外部に位置し、反射板７４および７５が収納されている放光部側ケーシング５２は、住宅１０の内部に位置している。
【００５７】
各反射板７１〜７５としては、それぞれ、反射率の高い反射面を有するものを用いるのが好ましい。具体的には、反射板７１〜７５の反射面の反射率は、９５％以上であるのが好ましく、９８％以上であるのがより好ましい。また、反射板７１〜７５の構成材料（反射板７１〜７５の反射面の構成材料）としては、例えば、アルミニウムやアルミニウム系合金等の金属材料を用いることができる。
【００５８】
反射板７１〜７５として反射率の高い反射面を有するものを用いることにより、これらによって導光される太陽光の損失を抑制することができ、太陽光の導光を効率良く行なうことができる。
【００５９】
ここで、筐体５は、光透過性を有していてもよく、また、遮光性を有していてもよく、また、一部分が光透過性を有し、その残部が遮光性を有していてもよい。但し、筐体５の採光部側ケーシング５１の北側の壁部５１２は、遮光性を有しているのが好ましく、その壁部５１２の内面に、反射板（反射面）を設けるのが好ましい。これにより、採光部６で採光した光を、その反射板で反射させて、放光部８へ導光することができ、光の損失をさらに抑制することができる。
【００６０】
また、採光部側ケーシング５１の南側の壁部５１３の内面に、反射板（反射面）を設けてもよい。これにより、採光部６で採光した光を、その反射板で反射させて、放光部８へ導光することができ、光の損失をさらに抑制することができる。
【００６１】
次に、光照射装置１の作用を説明する。
この場合、代表的に、朝および夕方の太陽の高さが比較的低いときと、午前および午後の太陽の高さが比較的高いときとを説明する。
【００６２】
図２および図３に示すように、朝、すなわち、太陽が東側に位置し、太陽の高さが比較的低いときは、その太陽光は、採光部６の第１の板状部６１から光照射装置１内に採光される。この採光部６において東側から採光された太陽光は、反射板７１の反射面（以下、単に「反射板」と言う）で反射板７３に向って反射し、その反射光は、反射板７３で反射板７４に向って反射し（住宅１０の内側に向って反射し）、その反射光は、反射板７４で放光部８に向って反射して放光部８へ導光され、放光部８によりその太陽光が室３４内に放光される。これにより、室３４内が照明され、明るくなる。
【００６３】
また、図４に示すように、夕方、太陽が西側に位置し、太陽の高さが比較的低いときは、その太陽光は、採光部６の第２の板状部６２から光照射装置１内に採光される。この採光部６において西側から採光された太陽光は、反射板７２で反射板７３に向って反射し、その反射光は、反射板７３で反射板７４に向って反射し（住宅１０の内側に向って反射し）、その反射光は、反射板７４で放光部８に向って反射して放光部８へ導光され、放光部８によりその太陽光が室３４内に放光される。
【００６４】
また、図５に示すように、午前の太陽の高さが比較的高いときは、その太陽光は、採光部６の第１の板状部６１から光照射装置１内に採光される。この採光部６において東側から採光された太陽光は、反射板７３で反射板７４に向って反射し（住宅１０の内側に向って反射し）、その反射光は、反射板７４で放光部８に向って反射して放光部８へ導光され、放光部８によりその太陽光が室３４内に放光される。
【００６５】
また、図示しないが、午後の太陽の高さが比較的高いときは、その太陽光は、採光部６の第２の板状部６２から光照射装置１内に採光される。この採光部６において西側から採光された太陽光は、反射板７３で反射板７４に向って反射し（住宅１０の内側に向って反射し）、その反射光は、反射板７４で放光部８に向って反射して放光部８へ導光され、放光部８によりその太陽光が室３４内に放光される。
【００６６】
以上説明したように、この光照射装置１によれば、例えば、導光手段７を南側の躯体内空間４０や小屋空間４１等に引き回す（配設する）必要がなくなり、光照射装置１を設置するうえでの制約を低減することができる。
【００６７】
また、この光照射装置１によれば、導光手段７の長さを短くすることができ（導光手段７をコンパクトに構成することができ）、装置全体を小型化することができる。また、導光手段７の長さを短くすることができるので、採光部６で採光された光が放光部８に到達するまでの導光手段７における光の反射回数を少なくすることができ、これにより、光の減光を抑制することができ、採光された光を効率良く室３４内に照射することができる。
【００６８】
また、東側から太陽光を採光することにより、日中のうちでは室３４内が比較的暗い時間帯である朝において、室３４内を明るく照明することができる。
【００６９】
また、西側から太陽光を採光することにより、日中のうちでは室３４内が比較的暗い時間帯である夕方において、室３４内を明るく照明することができる。
【００７０】
また、光照射装置１がユニット化されていることにより、その運搬を容易に行うことができ、住宅１０への設置作業（取付作業）も容易かつ迅速に行うことができる。
【００７１】
ここで、本実施形態では、光照射装置１を２階建ての住宅１０に設け、その１階の北側の室３４内に太陽光を照射（放光）する場合の構成例を説明したが、本発明では、これに限らず、光照射装置を設ける建築物は、３階以上の建築物でもよい。すなわち、本発明では、採光部は、ａ（但し、２≦ａ）階建ての建築物の略北側であって、そのｂ＋１（但し、１≦ｂ≦ａ−１）階の天井よりも鉛直方向下側に設けられていればよい。そして、放光部は、前記建築物のｂ階の所定の室に設けられていればよい。但し、前記ｂ階は、ａ−１階であるのが好ましい。すなわち、前記ｂ＋１階は、ａ階であるのが好ましい。また、採光部６は、前記ｂ＋１階の床の近傍に位置しているのが好ましい。なお、後述する第２実施形態および第３実施形態でも同様である。
【００７２】
次に、本発明の光照射装置の第２実施形態について説明するが、前述した第１実施形態との相違点を中心に説明し、同様の事項については、その説明を省略する。
【００７３】
図６は、本発明の光照射装置の第２実施形態を示す断面図である。
なお、図６において、上下方向が鉛直方向であり、東西南北の方向（方位）は、図中に矢印で示されている。
また、説明の都合上、図６において、上側を「上」、下側を「下」として説明する。
【００７４】
図６に示すように、第２実施形態の光照射装置１は、人工光源として、１つまたは複数の発光ダイオード（ＬＥＤ）９と、発光ダイオード９を駆動する図示しない駆動装置とで構成された人工光照射手段を有している。この人工光照射手段は、駆動装置により、発光ダイオード９を駆動し、補助的に、放光部８から室３４内に、発光ダイオード９から発せられた光（人工光）を照射する。
【００７５】
本実施形態では、前記発光ダイオード９は、放光部８に設けられている。この場合、放光部８の略中央部に、１つの発光ダイオード９または複数の発光ダイオード９の集合体が位置しているのが好ましい。なお、発光ダイオード９の配置は、これに限定されないことは、言うまでもない。
【００７６】
この光照射装置１によれば、前述した第１実施形態の光照射装置１と同様の効果が得られる。
【００７７】
そして、この光照射装置１では、発光ダイオード９を有しているので、必要時に、発光ダイオード９を発光させることにより、放光部８を介して室３４内に光を照射することができる。このため、例えば、雨天や曇天等、太陽光の光量が少ない（照度が低い）場合でも室内を明るく照明することができ、また、所望の波長（波長領域）の光のみを補うこともできる。
【００７８】
また、発光ダイオード９の寸法は小さいので、発光ダイオード９による太陽光の遮光面積は小さく、このため、１つの発光ダイオード９または複数の発光ダイオード９の集合体を、放光部８の略中央部に配置しても、発光ダイオード９により太陽光が遮られてしまう（遮光されてしまう）ことによる影響は、非常に少ない（ほとんどない）。
【００７９】
なお、この第２実施形態は、後述する第３実施形態および第４実施形態にも適用することができる。
【００８０】
次に、本発明の光照射装置の第３実施形態について説明するが、前述した第１実施形態との相違点を中心に説明し、同様の事項については、その説明を省略する。
【００８１】
図７は、本発明の光照射装置の第３実施形態を示す斜視図である。
なお、図７では、光照射装置は、外部からは見ることができない内部の各反射板が、あたかも見えるかのように、模式的に記載されている。そして、各反射板を他の部分と区別し易くするために、各反射板に斜線を付している。
【００８２】
また、図７において、上下方向が鉛直方向であり、東西南北の方向（方位）は、図中に矢印で示されている。
また、説明の都合上、図７において、上側を「上」、下側を「下」として説明する。
【００８３】
図７に示すように、第３実施形態の光照射装置１では、導光手段７は、７つの反射板（反射面）７１〜７７で構成されている。反射板７６は、筐体５の放光部側ケーシング５２の西側の内面に設置され、反射板７７は、放光部側ケーシング５２の東側の内面に設置されている。なお、反射板７１〜７５の配置は、前述した第１実施形態と同様である。
【００８４】
この光照射装置１によれば、前述した第１実施形態の光照射装置１と同様の効果が得られる。
【００８５】
そして、この光照射装置１では、採光部６を介して採光された太陽光を、下記のようにして放光部８へ導光し、室３４内に放光することができる。
【００８６】
すなわち、図７に示すように、採光部６において西側から採光された太陽光は、反射板７３で反射板７７に向って反射し（住宅１０の内側に向って反射し）、その反射光は、反射板７７で反射板７４に向って反射し、その反射光は、反射板７４で放光部８に向って反射して放光部８へ導光され、放光部８によりその太陽光が室３４内に放光される。
【００８７】
また、図示しないが、採光部６において東側から採光された太陽光は、反射板７３で反射板７６に向って反射し（住宅１０の内側に向って反射し）、その反射光は、反射板７６で反射板７４に向って反射し、その反射光は、反射板７４で放光部８に向って反射して放光部８へ導光され、放光部８によりその太陽光が室３４内に放光される。
【００８８】
次に、本発明の光照射装置の第４実施形態について説明するが、前述した第１実施形態との相違点を中心に説明し、同様の事項については、その説明を省略する。
【００８９】
図８は、本発明の光照射装置の第４実施形態を示す断面図である。
なお、図８において、上下方向が鉛直方向であり、東西南北の方向（方位）は、図中に矢印で示されている。
また、説明の都合上、図８において、上側を「上」、下側を「下」として説明する。
【００９０】
図８に示すように、第４実施形態の光照射装置１では、放光部８は、住宅１０の２階の室３３の床２７３に設けられている。
【００９１】
また、筐体５の放光部側ケーシング５２の南側の端部の上端には、開口５２２が形成されており、その開口５２２を塞ぐように、光透過性を有する出射部１１が設置されている。この出射部１１は、光透過性を有する板体（光透過部材）で構成されている。
【００９２】
また、反射板７４は、出射部１１を遮らないように配置され、反射板７５は、放光部側ケーシング５２の南側の先端まで配置されている。
【００９３】
次に、この光照射装置１の作用を説明する。この場合、代表的に、朝の太陽の高さが比較的低いときを説明する。
【００９４】
図８に示すように、朝、すなわち、太陽が東側に位置し、太陽の高さが比較的低いときは、その太陽光は、採光部６の第１の板状部６１から光照射装置１内に採光される。この採光部６において東側から採光された太陽光は、反射板７１で反射板７３に向って反射し、その反射光は、反射板７３で反射板７４に向って反射し（住宅１０の内側に向って反射し）、その反射光は、反射板７４で反射板７５に向って反射し、その反射光は、反射板７５で出射部１１に向って反射し、その出射部１１を透過して放光部８へ導光され、放光部８によりその太陽光が室３３内に放光される。これにより、室３３内が照明され、明るくなる。
【００９５】
この光照射装置１によれば、前述した第１実施形態の光照射装置１と同様の効果が得られる。
【００９６】
ここで、本実施形態では、光照射装置１を２階建ての住宅１０に設け、その２階の北側の室３３内に太陽光を照射（放光）する場合の構成例を説明したが、本発明では、これに限らず、光照射装置を設ける建築物は、３階以上の建築物でもよい。すなわち、本発明では、採光部は、ａ（但し、２≦ａ）階建ての建築物の略北側であって、そのｂ＋１（但し、１≦ｂ≦ａ−１）階の天井よりも鉛直方向下側に設けられていればよい。そして、放光部は、前記建築物のｂ＋１階の所定の室の床に設けられていればよい。但し、採光部６は、前記ｂ＋１階の床の近傍に位置しているのが好ましい。
【００９７】
以上、本発明の光照射装置を、図示の実施形態に基づいて説明したが、本発明はこれに限定されるものではなく、各部の構成は、同様の機能を有する任意の構成のものに置換することができる。また、本発明に、他の任意の構成物が付加されていてもよい。
【００９８】
また、本発明は、前記各実施形態のうちの、任意の２以上の構成（特徴）を組み合わせたものであってもよい。
【図面の簡単な説明】
【００９９】
【図１】本発明の光照射装置の第１実施形態が設けられた建築物としての住宅の概略構造を示す断面図である。
【図２】図１に示す光照射装置を示す断面図である。
【図３】図１に示す光照射装置を示す斜視図である。
【図４】図１に示す光照射装置を示す斜視図である。
【図５】図１に示す光照射装置を示す斜視図である。
【図６】本発明の光照射装置の第２実施形態を示す断面図である。
【図７】本発明の光照射装置の第３実施形態を示す斜視図である。
【図８】本発明の光照射装置の第４実施形態を示す断面図である。
【符号の説明】
【０１００】
１                光照射装置
１０              住宅
２０              躯体
２１              屋根部
２２              外壁部
２３              断熱材
２４              基台部
２５１、２６１、２７１、２８１  内壁部
２５２、２６２、２７２、２８２  天井
２５３、２６３、２７３、２８３  床
３１、３２、３３、３４  室
４０              躯体内空間
４１              小屋空間
４２              床下空間
４３              ふところ空間
４４、４５、４６  内壁空間
５                筐体
５１              採光部側ケーシング
５１１            開口
５１２、５１３    壁部
５２              放光部側ケーシング
５２１、５２２    開口
６                採光部
６１              第１の板状部
６２              第２の板状部
７                導光手段
７１〜７７        反射板
８                放光部
９                発光ダイオード
１１              出射部
【図１】
2007095481.tif 000003
【図２】
2007095481.tif 000004
【図３】
2007095481.tif 000005
【図４】
2007095481.tif 000006
【図５】
2007095481.tif 000007
【図６】
2007095481.tif 000008
【図７】
2007095481.tif 000009
【図８】
2007095481.tif 000010